【事件の表示】
　平成　４年特許願第１１９００６号「カセッテ」拒絶査定に対する審判事件［平成　５年１１月２６日出願公開、特開平　５−３１３２６７］について、次のとおり審決する。
【結　論】
　本件審判の請求は、成り立たない。
【理　由】
１、手続の経緯・本願発明
　本願は、平成４年５月１２日の出願であって、その請求項１に係る発明（以下、「本件発明」とう。）は、補正された明細書及び図面の記載からみて、その特許請求の範囲の請求項１に記載された以下のとおりのものである。
　
「支持体の上に蓄積性蛍光体層を積層してなる蓄積性蛍光体シートを取出し可能に収納するカセッテであって、カセッテの側板部の一部を形成する蓋体側板部と該蓋体側板部に連結されたカセッテの裏面側平板部の一部を形成する蓋体平板部とを有してなる開閉可能な蓋体を備えてなり、収納された上記蓄積性蛍光体シートが、上記蓋体を開けて上記蓄積性蛍光体シートの支持体側の面にローラを押し付けて該ローラを回転させることにより、上記蓄積性蛍光体シートの蓄積性蛍光体層側の面を上記カセッテの表面側平板部の内面に押し付けつつ滑らせて上記蓋体側板部が位置していた部分から外に取り出されるカセッテにおいて、上記カセッテの表面側平板部の内面に摩擦係数を小さくするための不織布が貼着されていることを特徴とするカセッテ。」
　
２、引用例
　これに対して、当審において拒絶理由に引用した刊行物である特開昭６３−１０３２３１号公報（以下、「引用例１」という。）には、以下のような発明が記載されている。  即ち、
「第１図において、参照符号２０は本実施態様の画像記録担体用カセッテを示す。前記カセッテ２０は基本的には蓄積性蛍光体シートSを収納する室２２を画成する筺体２４と、前記筺体２４の上部一端を閉塞する板体２６と蝶番２８を一体的に形成してこの筺体２４の上部他端に対し開閉可能な蓋体３０とを含む。前記筺体２４の４つの側壁部２４a乃至２４dの中、蓄積性蛍光体シートSを取り出すための先端部側の側壁部２４aは少なくとも前記取り出されるシートSの幅員より大きく切り欠いてシート取出口３２を形成している。この場合、シート取出口３２を画成する画部３４は筺体２４の内面部３６と連続し且つ蓋体３０から離間する方向に傾斜している。」（公報、第３頁右上欄第１６行〜左下欄第１０行）。
「さらにまた、蓋体３０は、前述したように、蝶番２８を介して筺体２４に対し開閉可能に装着されており、前記蓋体３０の開閉する先端部には前記筺体２４側に膨出する係止部４４が形成される。係止部４４は筺体２４の側壁部２４aに形成されるシート取出口３２に嵌合するものであり、その一面部４４aは面部３４に対応して傾斜している。そして、蓋体３０の両側部には夫々ロック手段４６a、４６bが設けられる。」（公報、第３頁右下欄第１０行〜１８行）。
「第５図に示すように、揺動手段８２を構成する回転駆動源９６を駆動して第１リンク９８aを矢印D方向に揺動すると、・・・搬送ローラ８０はカセッテ２０内の蓄積性蛍光体シートSに当接する。そこで、回転駆動源９０を駆動して駆動ベルト８８を矢印E方向に変位させてローラ対７８を構成する第１ローラ８４を矢印E方向に回転させると、前記第１ローラ８４に張架されるベルト９４を介して搬送ローラ８０が矢印E方向に回転するに至る。従って、前記搬送ローラ８０が摺接している蓄積性蛍光体シートSはこの搬送ローラ８０の回転作用下にカセッテ２０から取り出されてローラ対７８側へと送り出され、このローラ対７８を構成する第１ローラ８４と図示しない弾性体に係合する第２ローラ８６とにより挟持される。・・・搬送ローラ８０はカセッテ２０から離間するに至る。」（公報、第６頁左上欄第１５行〜第６頁左下欄第３行）。
　なる記載事項があり、蓋体の開閉先端部の筺体側に膨出する係止部４４は、カセッテの側板部の一部を形成する蓋体側板部ということができ、該係止部（蓋体側板部）が位置していた部分から蓄積性蛍光体シートが外へ取り出されることは明らかであり、蓋体の上記シートの収納室２２側の面は、カセッテの裏面側平板部の一部を形成する蓋体平板部であり、また、カセッテの該収納室２２のシートが載置される面は、カセッテの表面側平板部の内面であり、該シートの取り出しが、シートの一つの面を前記内面に押し付けつつ滑らせてなされることも明らかであるから、該記載事項と図面、特に第１図、第４図及び第５図の記載からして、
　画像記録担体である蓄積性蛍光体シートを取り出し可能に収納するカセッテであって、カセッテの側板部の一部を形成する蓋体側板部と該蓋体側板部に連結されたカセッテの裏面側平板部の一部を形成する蓋体平板部とを有してなる開閉可能な蓋体を備えてなり、収納された上記蓄積性蛍光体シートが、上記蓋体を開動して上記蓄積性蛍光体シートの一方の面に搬送ローラを当接して該ローラを回転させることにより、上記蓄積性蛍光体シートの他方の面を上記カセッテの表面側平板部の内面に押し付けつつ滑らせて上記蓋体側板部が位置していた部分から外に取り出されるカセッテ。
　なる発明が記載されている。
　
　また、同じく引用した特開平４−３１４３号公報（以下、「引用例２」という。）には、
「ところで、このような放射線画像情報記録再生システムにおいて、蛍光体シートに正確な放射線画像情報を蓄積記録し、また、蓄積記録された放射線画像情報を誤差なく正確に読み取るためには、蛍光体シートの表面、特に蛍光体層側の面に損傷がないことが必要である。ところが、前述のカセッテや、読取装置等に配される搬送ガイドは、通常は各種の硬質樹脂やアルミニウム等の金属で形成されるため、蛍光体シートをカセッテから排出、あるいはカセッテに収納する際や、あるいはカセッテから排出された蛍光体シートを搬送する際に、カセッテや搬送ガイド等と蛍光体シートとが摺接するために蛍光体シートの表面を損傷するおそれが非常に高い。そのため、蛍光体シートの損傷を防止する目的で、カセットの内面や搬送ガイドの蛍光体シートとの接触部分には、蛍光体シートの表面が損傷することを防止する保護部材が設けられている。」（公報、第２頁右下欄第４行〜第３頁左上欄第３行）。
「本発明の第１の態様は、蓄積性蛍光体シートを収納する筺体と、前記筺体の蓋体とを有する蓄積性蛍光体シート用カセッテであって、前記筺体内面および／または蓋体内面の少なくとも一部に高密度ポリエチレン不織布からなる保護部材を設けたことを特徴とする蓄積性蛍光体シート用カセッテを提供する。」（公報、第３頁左下欄第１２行〜１９行）。
「この高密度ポリエチレン不織布は、優れた表面の滑性を有するので、これを蓄積性蛍光体シート用カセットや蓄積性蛍光体シート用搬送ガイドにおける蓄積性蛍光体シートの表面保護部材として適用することにより、前記カセッテから蓄積性蛍光体シートを出し入れする際や、放射線画像情報読取および／または記録装置において蓄積性蛍光体シートを搬送する際に、蓄積性蛍光体シートの表面を損傷することがない。」（公報、第４頁左上欄第４行〜１３行）。
「本発明に係るカセッテ１０において、このような高密度ポリエチレン不織布からなる保護部材１６を筺体１２および蓋体１４に配する方法としては、接着材等により貼着する方法、両面テープを用いる方法等の公知の方法によればよい。また、保護部材１６は筺体１２および蓋体１４の両方に配するのに限定されるものではなく、いずれか一方、特に蛍光体シートAの蛍光体層側の表面と摺接するもののみに配されたものであってもよい。」（公報、第６頁左上欄第１８行〜右上欄第８行）。　なる記載事項があり、該記載事項と図面、特に第１図の記載からして、
　放射線画像情報を記録した蓄積性蛍光体シート用のカセッテにおけるシートの収納、排出に際し、損傷のおそれのある該シートの蛍光体層側の表面を保護する手段として、該カセッテ内面の該シートの上記蛍光体層側の表面と摺接する面に表面滑性の優れた高密度ポリエチレン不織布を貼着した保護手段。
　なる発明が記載されている。
　
３、本願発明と引用例１に記載された発明との対比
　本願発明と引用例１に記載された発明とを対比すると、引用例１に記載された発明の「画像記録担体である蓄積性蛍光体シート」、「開動」はそれぞれ、本願発明の「蓄積性蛍光体シート」、「開けて」に相当し、また、引用例１に記載された発明のローラを「当接して」は、実質的にローラを「押し付けて」と差異はないから、両者は、
　蓄積性蛍光体シ−トを取り出し可能に収納するカセッテであって、カセッテの側板部の一部を形成する蓋体側板部と該蓋体側板部に連結されたカセッテの裏面側平板部の一部を形成する蓋体平板部とを有してなる開閉可能な蓋体を備えてなり、収納された上記蓄積性蛍光体シートが、上記蓋体を開けて上記蓄積性蛍光体シートの一方の面にローラを押し付けて該ローラを回転させることにより、上記蓄積性蛍光体シートの他方の面を上記カセッテの表面側平板部の内面に押し付けつつ滑らせて上記蓋体側板部が位置していた部分から外に取り出されるカセッテ。
　で一致し、
　本願発明のカセッテは、支持体上に蓄積性蛍光体層を積層した蓄積性蛍光体シートを取り出し可能に収納するカセッテであり、収納された蓄積性蛍光体シートの取り出しを、その一方の面である支持体側の面にローラを押し付けて回転させることにより、他方の面である蓄積性蛍光体層側の面をカセッテ表面側平板部の内面に押し付けつつ滑らせてなすようにし、上記蓄積性蛍光体層側の面を押し付けつつ滑らせるカセッテの表面側平板部の内面に摩擦係数の小さな不織布を貼着したものであるのに対し、引用例１に記載された発明のカセッテは、上記のような構成の蓄積性蛍光体シートを取り出し可能に収納するカセッテであるのか格別の記載はなく、また、収納された蓄積性蛍光体シートの取り出しが、該シートの一方の面にローラを押し付けて回転させることにより、他方の面をカセッテ表面側平板部内面に押し付けつつ滑らせてなされるものではあるが、該シートの一方の面、他方の面がそれぞれ上記のような面であるのか格別記載がないことから上記のようになされるのか明らかでなく、さらに、カセッテ表面側内面はどのような面であるのか格別の記載がなく明らかでない点。
　において相違している。
　
４、当審の判断　
　上記相違点について検討する。
　本願発明においては、上記相違点において述べた構成により、カセッテに収納された上記構成の蓄積性蛍光体シートの一方の面である支持体側の面にローラを押し付けて回転させて該カセッテからシートを取り出す際に、該シートの他方の面、即ち、上記カセット内面に押し付けられつつ滑らされる蛍光体層側の面が該内面に貼着された摩擦係数の小さな面を滑ることにより損傷するのを防止するというものであるが、上述のように、引用例２に記載された発明には、本願発明の上記カセッテとはその収納されたシートの取り出し（排出）形式を異にするカセッテであり、用いられるシートの構成についても格別の記載はないが、該カセッテにおけるシートの取り出し（排出）に際し、損傷のおそれがある該シートの蛍光体層側の表面を保護する手段として、その蛍光体層側の表面が摺接するカセッテ内面に表面滑性の優れた不織布を貼着した保護手段の構成が記載されている。
　ところで、引用例１に記載された発明の本願発明と同様形式のカセッテに取り出し可能に収納される蓄積性蛍光体シートとして、上記構成の、即ち、支持体の上に蓄積性蛍光体層を積層した構成の蓄積性蛍光体シートはきわめて普通のものであり、該シートにおける上記構成の限定は何ら格別なことではなく、しかも収納された該構成のシートの取り出しに際し、その一方の面であるローラを押し付けつつ回転させる面を支持体側の面とし、他方の面であるカセッテ内面に押し付けられつつ滑らせれる面を蛍光体層側の面とすることも普通の選択である。そして、該シート取り出しに際しての蛍光体層側の面の保護の必要性の認識は、引用例２に記載された発明のカセッテにおけるシートの蛍光体層側の表面の保護から容易に得られるところであり、結局、引用例１に記載された発明のカセッテにおいて上記構成の蓄積性蛍光体シートを用いるに際し、本願発明の上記課題の認識のもとに、該シートの蛍光体層側の面の保護手段として、引用例２に記載された発明の上記保護手段の構成を適用して、該カセッテの上記シートの他方の面である蛍光体層側の面を押し付けつつ滑らせる内面、即ち、該カセッテの表面側平板部の内面に、表面滑性に優れた、つまり摩擦係数を小さくするための不織布を貼着し、引用例１に記載された発明のカセッテを本願発明のカセッテのように構成することは当業者が容易になし得たことと認められる。
　
　そして、本願発明の効果は、上記引用例１及び２に記載された発明のものから予測される範囲のものである。
　
５、むすび
　以上のとおりであるから、本願発明、即ち、本件特許請求の範囲の請求項１に係る発明は、前記引用例１及び２に記載された発明に基づいて当業者が容易に発明をすることができたものであり、特許法第２９条第２項の規定により、特許を受けることができない。
　よって、結論のとおり審決する。